(57)【特許請求の範囲】
【請求項１】
導体ケースに信号入出力コネクタを設けてなる高周波機器において、
前記導体ケースの信号入出力コネクタの取り付け面に、当該取り付け面から切り起こされた切り起こし部を設けて、その切り起こし部が変形可能な状態で前記切り起こし部に対して前記信号入出力コネクタを固定したことを特徴とする高周波機器。
【請求項２】
導体ケースに信号入出力コネクタを設けてなる高周波機器において、
前記導体ケースの信号入出力コネクタの取り付け面に、当該取り付け面と前記信号入出力コネクタのフランジ部との間に弾性体を挟み込んで、前記信号入出力コネクタを前記導体ケースに固定したことを特徴とする高周波機器。
【請求項３】
前記弾性体は導電性を有する請求項２記載の高周波機器。
【請求項４】
導体ケースに信号入出力コネクタを設けてなる高周波機器において、
前記信号入出力コネクタを絶縁性の弾性体を介して前記導体ケースに固定し、前記信号入出力コネクタと前記導体ケース間を導電板で電気的に接続したことを特徴とする高周波機器。
【請求項５】
前記導体ケース内に固定されている信号線と前記信号入出力コネクタの中心導体との間を柔軟性または弾性のある導線で接続したことを特徴とする請求項１〜４のいずれかに記載の高周波機器。
【発明の詳細な説明】
【０００１】
【産業上の利用分野】
この発明は、誘電体フィルタなどを導体ケース内に収納するとともに、その導体ケースに信号入出力コネクタを設けてなる高周波機器に関する。
【０００２】
【従来の技術】
例えば誘電体フィルタからなるアンテナデュプレクサなどの高周波機器は、導体ケース内に誘電体フィルタを収納するとともに、その導体ケースの外面に信号入出力コネクタを突出させて構成し、これを他の機器の筐体内に組み込む際、組み込み先の筐体に予め固定されているコネクタに高周波機器側のコネクタを接続するとともに、高周波機器を取り付け先の筐体にネジ止め固定している。
【０００３】
ここで高周波機器の取り付け構造の例を図２に示す。（Ａ）は高周波機器取り付け前の筐体側の構造を示す図であり、筐体３の垂直面には内側を雄型コネクタ４２、外側を雌型コネクタ４１とするコネクタ４を取り付けている。このような筐体に対して、同図（Ｂ）に示すように、高周波機器１の垂直面に突出する雌型コネクタ２を筐体側の雄型コネクタ４２に装着し、雄型コネクタ４２のリング４３を雌型コネクタ２に螺着することによって電気的接続を行い、さらに高周波機器１に設けたフランジ１１３部分をネジ５で筐体３にネジ止め固定している。
【０００４】
【発明が解決しようとする課題】
ところが、このように高周波機器を取り付ける筐体側に予め固定されているコネクタに対して高周波機器側のコネクタを装着するとともに、筐体にネジ止めなどにより固定する高周波機器においては、高周波機器側の導体ケースの寸法精度、その導体ケースに取り付けるコネクタの取り付け位置精度と、高周波機器を取り付ける筐体側のコネクタ取り付け位置精度、および高周波コネクタをネジ止め固定するためのネジ孔の位置精度などがそれぞれ充分に高くなければ、筐体に対して高周波機器を取り付ける際に、高周波機器側のコネクタ取り付け部分に応力が加わることになる。
【０００５】
例えば図３（Ａ）に示すように、ユーザの筐体３側に予め固定されているコネクタ４の取り付け高さが設計値より高い位置にある場合や（Ｂ）に示すように、筐体３の図における垂直面が傾斜している場合に、コネクタ４の雄型コネクタ４２に高周波機器１側のコネクタ２を装着した際、同図に示すように、高周波機器１が筐体３の水平面から持ち上がることになる。この状態で高周波機器１のフランジ部１１３を筐体３に無理にネジ止めすれば、高周波機器側のコネクタ２の取り付け部分に大きな応力が集中し、高周波機器１のコネクタ２の取り付け位置部分の導体ケースに変形が生じる。このことにより外部Ｑ（Ｑｅ）や周波数特性が変位して、これらの特性値が規定の範囲を超えてしまうおそれもあった。そうなれば、高周波機器単体で予め如何に正しく特性調整を行っていても、ユーザ側の筐体に取り付けた時点で所期の特性が発揮されなくなり、高周波機器は製品として不良と見なされてしまう。しかも、高周波機器が取り付けられる筐体側の寸法精度の問題で上述の現象が生じるのであれば、不良と見なされた高周波機器をいくら新たな高周波機器に交換しても上述の問題は解消されない。
【０００６】
また、筐体に対して高周波機器を取り付けた後に、筐体の熱膨張または熱収縮により、コネクタおよびその取り付け位置に応力が加わる場合にも上述した問題と同様の問題が生じる。
【０００７】
この発明の目的は、コネクタ取り付け部付近に応力が加わっても、Ｑｅや周波数特性等の特性の変動を抑制できるようにした高周波機器を提供することにある。
【０００８】
【課題を解決するための手段】
この発明は、高周波機器のコネクタに対して応力が加わった場合に、コネクタ取り付け部付近の導体ケースを変形させないために、請求項１に係る高周波機器では、導体ケースの信号入出力コネクタの取り付け面に、当該取り付け面から切り起こされた切り起こし部を設けて、その切り起こし部が変形可能な状態で前記切り起こし部に対して信号入出力コネクタを固定する。
【０００９】
また、請求項２に係る高周波機器では、導体ケースの信号入出力コネクタの取り付け面に、当該取り付け面と信号入出力コネクタのフランジ部との間に弾性体を挟み込んで、信号入出力コネクタを導体ケースに固定する。その際、弾性体として請求項３に係る高周波機器では、導電性を有する弾性体を用いて、信号入出力コネクタと導体ケース間の機械的固定と同時に電気的接続を行う。請求項４に係る高周波機器では、上記弾性体として絶縁性を有するものを用い、信号入出力コネクタと導体ケース間に導電板を接続する。これにより、信号入出力コネクタと導体ケース間を電気的に接続する。
【００１０】
さらに、信号入出力コネクタに加わる応力によって、その中心導体が導体ケース内において変位する場合に備えて、請求項５に係る高周波機器では、導体ケース内に固定されている信号線と信号入出力コネクタの中心導体との間を柔軟性または弾性のある導線で接続する。これにより信号入出力コネクタの変位に伴いその中心導体が変位しても、導体ケース内の信号線は所定位置に固定されたままとなり、上記信号線の変形などによる特性変動が防止される。
【００１１】
【作用】
請求項１に係る高周波機器では、信号入出力コネクタに曲げ応力などが加わっても、その応力が導体ケースの一部である切り起こし部が受けて、信号入出力コネクタ取り付け面の導体ケース自体を変形させることがない。そのため、導体ケースの変形による高周波機器の特性変動が防止される。
【００１２】
請求項２に係る高周波機器では、信号入出力コネクタに曲げ応力などが加わっても、弾性体がその応力を吸収し、信号入出力コネクタ取り付け面の導体ケース自体を変形させることがない。そのため、導体ケースの変形による高周波機器の特性変動が防止される。
【００１３】
請求項３に係る高周波機器では、信号入出力コネクタが導体ケースに対して機械的に固定されると同時に電気的にも接続される。
【００１４】
請求項４に係る高周波機器では、絶縁性を有する弾性体が信号入出力コネクタと導体ケース間で応力を吸収し、導電板が信号入出力コネクタと導体ケース間の電気的接続を行う。
【００１５】
請求項５に係る高周波機器では、導体ケース内に固定されている信号線と信号入出力コネクタの中心導体との間が柔軟性または弾性のある導線で接続されているため、信号入出力コネクタの変位に伴いその中心導体が変位しても、導体ケース内の信号線は所定位置に固定されたままとなり、上記信号線の変形などによる特性変動が防止される。
【００１６】
【実施例】
この発明の第１の実施例である高周波機器の構成を図１〜図６を基に説明する。
【００１７】
図１は高周波機器の外観形状を示す斜視図である。図１において高周波機器１は前面板１１０、後面板１２０、上部カバー１４０および図１では現れていない底面板とによって導体ケースを構成していて、前面板１１０には信号入出力コネクタ２を取り付けている。また後面板１２０には、後に示すように、２つの信号入出力コネクタを取り付けている。また前面板１１０および後面板１２０には１１３で示すフランジ部を図における水平面方向に突出させている。この高周波機器１を筐体に取り付ける際、フランジ部１１３に設けた孔にネジを通して、筐体側にネジ止め固定する。
【００１８】
図２は前述した通り、高周波機器を取り付ける筐体およびその筐体に高周波機器を取り付けた状態を示す図であり、（Ａ）に示した筐体に図１に示した高周波機器を（Ｂ）に示すように取り付ける。（Ａ）に示すように、筐体３の垂直面には内側を雄型コネクタ４２、外側を雌型コネクタ４１とするコネクタ４を設けている。このような筐体に対して、同図（Ｂ）に示すように、高周波機器１の垂直面に突出する雌型コネクタ２を筐体側の雄型コネクタ４２に装着し、雄型コネクタ４２のリング４３を雌型コネクタ２に螺着することによって電気的接続を行う。また、高周波機器１に設けたフランジ１１３部分をネジ５で筐体３にネジ止め固定する。
【００１９】
図４は高周波機器の前面板１１０の構造を示す図であり、（Ａ）は信号入出力コネクタ２の取り付け前の状態、（Ｂ）はその取り付け後の状態を示す。（Ａ）に示すように、前面板１１０には１１１で示す４つの切り起こし部を形成していて、それぞれに信号入出力コネクタ取り付け用の孔１１２を設けている。この信号入出力コネクタ取り付け用の孔１１２に対して同図（Ｂ）に示すようにネジ６により信号入出力コネクタ２をネジ止め固定する。
【００２０】
この構造により、信号入出力コネクタ２に対して曲げ応力などが加わっても、切り起こし部１１１の変形範囲では切り起こし部１１１が変形するだけで、前面板１１０全体が変形することはない。
【００２１】
次に、図１に示した高周波機器の内部の構造を図５に示す。（Ａ）は上部カバーを取り外した状態における上面図、（Ｂ）は同じく上部カバーを取り外した状態での正面図である。図５において１３０は底面板であり、その上部に７ａ〜７ｆで示す６つの誘電体共振器を配置している。これらのうち誘電体共振器７ａ〜７ｃはそれぞれ角柱状の誘電体柱を交差させた形状からなる複合誘電体柱を内部に備えるＴＭ二重モード誘電体共振器であり、この３つの誘電体共振器７ａ，７ｂ，７ｃによって６段の帯域通過特性を有する受信フィルタを構成している。また誘電体共振器７ｄ，７ｆはそれぞれ１つの角柱状誘電体柱を内部に備えたＴＭモード誘電体共振器、７ｅは７ａ〜７ｃと同様の構成からなるＴＭ二重モード誘電体共振器であり、この３つの共振器７ｄ，７ｅ，７ｆによって４段の帯域通過特性を有する送信フィルタを構成している。後面板１２０には２つの信号入出力コネクタ８，９を取り付けていて、それぞれの中心導体と後面板との間に誘電体共振器７ｃ，７ｄと結合する結合ループ１５ｃ，１５ｄをそれぞれ設けている。また前面板１１０には誘電体共振器７ａ，７ｆと結合する結合ループ１３ａ，１３ｆをそれぞれ設けている。
【００２２】
図６は前面板の内部側の構造を示す斜視図である。図６において２１は信号入出力コネクタの２の中心導体、１０は信号線である。この信号線１０はブッシュ１１により絶縁し、ブッシュ保持体１２によってブッシュ１１とともに前面板１１０に固定している。但し、同図においてはブッシュ保持体１２をブッシュ１１から分離して示している。信号線１０とコネクタの中心導体２１との間には、柔軟性および弾性のある導線１８を接続している。図６では省略しているが、信号線１０の両端と前面板１１０との間には図５に示したように結合ループ１３ａ，１３ｆおよび位相調整用ループ１４ａ，１４ｆをそれぞれ接続している。
【００２３】
以上のように構成したことにより、図５に示したコネクタ２をアンテナ端子、コネクタ８を受信出力端子、コネクタ９を送信入力端子とするアンテナデュプレクサを構成する。
【００２４】
図１、図４〜図６に示した構成により、仮に図３（Ａ）に示したように、筐体３側に予め固定されているコネクタ４の取り付け高さが設計値より高い位置にある場合や（Ｂ）に示すように、筐体３の図における垂直面が傾斜している場合に、コネクタ４の雄型コネクタ４２に高周波機器１側のコネクタ２を装着した際、同図に示すように、高周波機器１が筐体３の水平面から持ち上がることになるが、この状態で高周波機器１のフランジ部１１３を筐体３に無理にネジ止めしたとしても、高周波機器側のコネクタ２の取り付け部分に加わる応力は上記切り起こし部で吸収される。これにより、高周波機器１のコネクタ２の取り付け位置部分の導体ケースに変形が生じることがなく、外部Ｑ（Ｑｅ）や周波数特性が変化することがない。従って高周波機器単体で調整した特性が筐体に取り付けた後も維持されることになる。
【００２５】
次に、この発明の第２の実施例に係る高周波機器の構成を図７を基に説明する。図７は導体ケースの一部である前面板に対する信号入出力コネクタの取り付け部分の構造を示す図であり、（Ａ）は分解斜視図、（Ｂ）は前面板に信号入出力コネクタを取り付けた状態での斜視図である。前面板１１０の内面およびその他の構成は第１の実施例の場合と同様である。図７において１６は導電性を有する弾性体であり、この弾性体１６を介して同図（Ｂ）に示すように信号入出力コネクタ２を前面板１１０にネジ止め固定する。弾性体１６としては、金線などの導電線入りのゴムを加工して構成するか、図７において１６で示した形状のゴム板を金属箔で包んで構成する。
【００２６】
これにより信号入出力コネクタ２の導体ケースに対する機械的固定と同時に電気的接続を行う。
【００２７】
次に第３の実施例に係る誘電体共振器装置の構成を図８および図９を基に説明する。
【００２８】
図９は前面板１１０に対する信号入出力コネクタ２の取り付け構造を示す斜視図、図８はその際に用いる薄い金属板の形状を示す斜視図である。第２の実施例として図７に示した例と異なり、弾性体１６として絶縁性のものを用い、この弾性体１６と信号入出力コネクタ２のフランジ部と間に薄い金属板１７を挟み込んで、ネジ６により前面板１１０にネジ止め固定した後、金属板１７を前面板１１０に半田付けする。これにより金属板１７を介して信号入出力コネクタ２と前面板１１０との電気的接続を行う。
【００２９】
【発明の効果】
請求項１に係る高周波機器によれば、信号入出力コネクタに曲げ応力などが加わっても、その応力が導体ケースの一部である切り起こし部が受けて、信号入出力コネクタ取り付け面の導体ケース自体を変形させることがないため、導体ケースの変形による高周波機器の特性変動が防止される。
【００３０】
請求項２に係る高周波機器によれば、信号入出力コネクタに曲げ応力などが加わっても、弾性体がその応力を吸収し、信号入出力コネクタ取り付け面の導体ケース自体を変形させることがないため、導体ケースの変形による高周波機器の特性変動が防止される。
【００３１】
請求項３に係る高周波機器によれば、弾性体を介して信号入出力コネクタを取り付けるにも拘らず、導体ケースに対する信号入出力コネクタの機械的固定と同時に電気的接続も行うことができる。
【００３２】
請求項４に係る高周波機器によれば、絶縁性を有する弾性体が信号入出力コネクタと導体ケース間で応力を吸収するとともに、導電板が信号入出力コネクタと導体ケース間で確実に電気的接続を行う。
【００３３】
請求項５に係る高周波機器によれば、導体ケース内に固定されている信号線と信号入出力コネクタの中心導体との間が柔軟性または弾性のある導線で接続されているため、信号入出力コネクタの変位に伴いその中心導体が変位しても、導体ケース内の信号線は所定位置に固定されたままとなり、上記信号線の変形などによる特性変動が防止される。
【図面の簡単な説明】
【図１】第１の実施例に係る高周波機器の構成を示す斜視図である。
【図２】筐体および筐体に対する高周波機器の取り付け構造を示す図である。
【図３】筐体に対する高周波機器の取り付け時に生じる問題を説明するための図である。
【図４】第１の実施例に係る高周波機器の導体ケースの一部である前面板の構造およびそれに対する信号入出力コネクタの取り付け構造を示す図である。
【図５】高周波機器の内部構造を示す図であり、（Ａ）は上部カバーを取り外した状態での上面図、（Ｂ）は上部カバーを取り外した状態での正面図である。
【図６】前面板の内側の構造を示す斜視図である。
【図７】第２の実施例に係る高周波機器の一部である前面板およびそれに対する信号入出力コネクタの取り付け構造を示す斜視図である。
【図８】第３の実施例に係る高周波機器に用いる金属板の形状を示す斜視図である。
【図９】第３の実施例に係る高周波機器の一部である前面板に対する信号入出力コネクタの取り付け構造を示す斜視図である。
【符号の説明】
１−高周波機器
２−信号入出力コネクタ
３−筐体
４−筐体側のコネクタ
５−ネジ
６−ネジ
７−誘電体共振器
８，９−信号入出力コネクタ
１０−信号線
１１−ブッシュ
１２−ブッシュ保持体
１３−結合ループ
１４−位相調整用ループ
１５−結合ループ
１６−弾性体
１７−金属板
１８−導線
２１−信号入出力コネクタ２の中心導体
４１−雌型コネクタ
４２−雄型コネクタ
４３−リング
１１０−前面板
１１１−切り起こし部
１１２−信号入出力コネクタ２の取り付け用孔
１１３−フランジ部
１２０−後面板
１３０−底面板
１４０−上部カバー
【図１】
0003633000.tif 000002
【図２】
0003633000.tif 000003
【図３】
0003633000.tif 000004
【図４】
0003633000.tif 000005
【図５】
0003633000.tif 000006
【図６】
0003633000.tif 000007
【図７】
0003633000.tif 000008
【図８】
0003633000.tif 000009
【図９】
0003633000.tif 000010